(57)【特許請求の範囲】
【請求項１】
互いに係合する第１及び第２のコネクタ端子を備え、
前記第１のコネクタ端子は、
中空円筒状のプラグ、
前記プラグの円筒の外壁上に配置され、直流電流のプラス電流及びマイナス電流のいずれか一方が外部からそれぞれ供給される第１及び第２の入力電極、
前記プラグの円筒の外壁上に配置された第１の外側電極、
前記プラグの中空の内側に配置された第１の内側電極、
前記プラグの円筒の外壁上に配置され、かつ、前記第１の内側電極と電気的に接続されたプラグ側反転用電極、
前記プラグの外側に嵌合して前記プラグの長さ方向に摺動可能な円筒状のプラグカバー、及び、
前記プラグカバーの内壁上に配置される電極群であって、前記プラグカバーが前記プラグ上の位置Ｐ１にあるとき、前記第１の入力電極から前記第１の外側電極に至る導通路と、前記第２の入力電極から前記プラグ側反転用電極に至る導通路とを形成するようにして前記プラグの外壁上の電極の一部と接触する一方、前記プラグカバーが前記プラグ上に前記位置Ｐ１とは異なる位置Ｐ２にあるとき、前記第１の入力電極から前記プラグ側反転用電極に至る導通路と、前記第２の入力電極から前記第１の外側電極に至る導通路とを形成するようにして前記プラグの外壁上の電極と接触する電極群からなるプラグカバー側反転用電極
を備え、
前記第２のコネクタ端子は、
前記第１のコネクタ端子と係合したときに、前記第１の外側電極と接触する第２の外側電極、及び、
前記第１のコネクタ端子と係合したときに、前記第１の内側電極と接触する第２の内側電極
を備える
ことを特徴とするコネクタ。
【請求項２】
前記プラグカバーが前記位置Ｐ１にあるとき、前記第１の入力電極及び前記第１の外側電極に接触する一方、前記プラグカバーが前記位置Ｐ２にあるとき、前記第１の入力電極及び前記プラグ側反転用電極に接触する電極、
前記プラグカバーが前記位置Ｐ１にあるとき、前記プラグの外壁上に配置された電極の中では前記第１の外側電極のみに接触する一方、前記プラグカバーが前記位置Ｐ２にあるとき、前記第２の入力電極及び前記第１の外側電極に接触する電極、及び、
前記プラグカバーが前記位置Ｐ１にあるとき、前記第２の入力電極及び前記プラグ側反転用電極に接触する一方、前記プラグカバーが前記位置Ｐ２にあるとき、前記プラグの外壁上に配置された電極の中では前記プラグ側反転用電極のみに接触する電極
を前記プラグカバー側反転用電極として備えることを特徴とする請求項１に記載のコネクタ。
【請求項３】
前記第２のコネクタ端子は、前記第１のコネクタ端子と接触する面に、前記位置Ｐ１にあるままの状態で前記プラグカバーを収容可能な段差を有する隔壁を備えることを特徴とする請求項１及び請求項２のいずれかに記載のコネクタ。
【請求項４】
前記第１のコネクタ端子は、前記プラグの長さ方向に前記プラグカバーを押し出す弾性力を発生するためのばねを備えることを特徴とする請求項３に記載のコネクタ。
【請求項５】
前記プラグの外壁面に沿って前記プラグカバーの内壁面が回転するのを抑止するための凹凸を備えることを特徴とする請求項１乃至４のいずれかに記載のコネクタ。
【請求項６】
前記プラグカバーを前記プラグ上の位置Ｐ１に一時的に係止する手段及び前記プラグカバーを前記プラグ上の位置Ｐ２に一時的に係止する手段を更に備えることを特徴とする請求項１乃至５のいずれかに記載のコネクタ。
【請求項７】
中空円筒状のプラグ、
前記プラグの円筒の外壁上に配置され、直流電流のプラス電流及びマイナス電流のいずれか一方が外部からそれぞれ供給される第１及び第２の入力電極、
前記プラグの円筒の外壁上に配置された外側電極、
前記プラグの中空の内側に配置された内側電極、
前記プラグの円筒の外壁上に配置され、かつ、前記内側電極と電気的に接続されたプラグ側反転用電極、
前記プラグの外側に嵌合して前記プラグの長さ方向に摺動可能な円筒状のプラグカバー、及び、
前記プラグカバーの内壁上に配置される電極群であって、前記プラグカバーが前記プラグ上の位置Ｐ１にあるとき、前記第１の入力電極から前記外側電極に至る導通路と、前記第２の入力電極から前記プラグ側反転用電極に至る導通路とを形成するようにして前記プラグの外壁上の電極の一部と接触する一方、前記プラグカバーが前記プラグ上に前記位置Ｐ１とは異なる位置Ｐ２にあるとき、前記第１の入力電極から前記プラグ側反転用電極に至る導通路と、前記第２の入力電極から前記外側電極に至る導通路とを形成するようにして前記プラグの外壁上の電極と接触する電極群からなるプラグカバー側反転用電極
を備えるコネクタ端子。
【請求項８】
前記プラグカバーが前記位置Ｐ１にあるとき、前記第１の入力電極及び前記第１の外側電極に接触する一方、前記プラグカバーが前記位置Ｐ２にあるとき、前記第１の入力電極及び前記プラグ側反転用電極に接触する電極、
前記プラグカバーが前記位置Ｐ１にあるとき、前記プラグの外壁上に配置された電極の中では前記第１の外側電極のみに接触する一方、前記プラグカバーが前記位置Ｐ２にあるとき、前記第２の入力電極及び前記第１の外側電極に接触する電極、及び、
前記プラグカバーが前記位置Ｐ１にあるとき、前記第２の入力電極及び前記プラグ側反転用電極に接触する一方、前記プラグカバーが前記位置Ｐ２にあるとき、前記プラグの外壁上に配置された電極の中では前記プラグ側反転用電極のみに接触する電極
を前記プラグカバー側反転用電極として備えることを特徴とする請求項７に記載のコネクタ端子。
【請求項９】
前記プラグの外壁面に沿って前記プラグカバーの内壁面が回転するのを抑止するための凹凸を備えることを特徴とする請求項７及び８のいずれかに記載のコネクタ端子。
【請求項１０】
前記プラグカバーを前記プラグ上の位置Ｐ１に一時的に係止する手段及び前記プラグカバーを前記プラグ上の位置Ｐ２に一時的に係止する手段を更に備えることを特徴とする請求項７乃至９のいずれかに記載のコネクタ端子。
【発明の詳細な説明】
【技術分野】
【０００１】
本発明は直流電流が流れる電線間を接続するコネクタに関し、特に、互いに接続する２つのコネクタ端子の間で極性を一致させることに関する。
【背景技術】
【０００２】
ＡＣ−ＤＣコンバータ、所謂ＡＣアダプタには、中空円筒状のプラグの内側と外側にそれぞれ電極を配置したコネクタ端子を備えるものがある。このコネクタ端子に対応するコネクタ端子は、例えば、中空部に嵌合する円柱からなる電極と、円筒外壁に接触する電極とを備える。
【０００３】
この種のコネクタにおいて各電極の極性は常に一定ではなく、外側の電極がプラス電極であり、内側の電極がマイナス電極であるコネクタが存在する一方、その逆に、外側の電極がマイナス電極であり、内側の電極がプラス電極であるコネクタが存在する。当然のことながら、対応するコネクタ端子間で電極の長さや、直径等のサイズが完全に適応していても、互いに接触する電極の極性が異なる場合、それらコネクタ端子を互いに接続して用いることはできない。
【０００４】
こうした電極間の極性の不一致を解消するため、２つのコネクタ端子間を中継するコネクタを別途用意し、この中継コネクタにて極性を反転させる技術がある。
【０００５】
本発明に関連する技術を記載した文献を以下に挙げる。
【先行技術文献】
【特許文献】
【０００６】
【特許文献１】実用新案登録第３０９１３３４号
【特許文献２】実開平０１−１４６４８６号
【特許文献３】実開昭６１−１０７１７８号
【発明の概要】
【発明が解決しようとする課題】
【０００７】
本発明はこのような状況に鑑みてなされたものであり、本発明が解決しようとする課題は、コネクタ端子間を中継するコネクタを別途用意することなく、コネクタ端子間の電極の極性の不一致を解消することである。
【課題を解決するための手段】
【０００８】
上述の課題を解決するため、本発明は、その一態様として、互いに係合する第１及び第２のコネクタ端子を備え、前記第１のコネクタ端子は、中空円筒状のプラグ、前記プラグの円筒の外壁上に配置され、直流電流のプラス電流及びマイナス電流のいずれか一方が外部からそれぞれ供給される第１及び第２の入力電極、前記プラグの円筒の外壁上に配置された第１の外側電極、前記プラグの中空の内側に配置された第１の内側電極、前記プラグの円筒の外壁上に配置され、かつ、前記第１の内側電極と電気的に接続されたプラグ側反転用電極、前記プラグの外側に嵌合して前記プラグの長さ方向に摺動可能な円筒状のプラグカバー、及び、前記プラグカバーの内壁上に配置される電極群であって、前記プラグカバーが前記プラグ上の位置Ｐ１にあるとき、前記第１の入力電極から前記第１の外側電極に至る導通路と、前記第２の入力電極から前記プラグ側反転用電極に至る導通路とを形成するようにして前記プラグの外壁上の電極の一部と接触する一方、前記プラグカバーが前記プラグ上に前記位置Ｐ１とは異なる位置Ｐ２にあるとき、前記第１の入力電極から前記プラグ側反転用電極に至る導通路と、前記第２の入力電極から前記第１の外側電極に至る導通路とを形成するようにして前記プラグの外壁上の電極と接触する電極群からなるプラグカバー側反転用電極を備え、前記第２のコネクタ端子は、前記第１のコネクタ端子と係合したときに、前記第１の外側電極と接触する第２の外側電極、及び、前記第１のコネクタ端子と係合したときに、前記第１の内側電極と接触する第２の内側電極を備えることを特徴とするコネクタを提供する。
【０００９】
また、本発明は、他の一態様として、中空円筒状のプラグ、前記プラグの円筒の外壁上に配置され、直流電流のプラス電流及びマイナス電流のいずれか一方が外部からそれぞれ供給される第１及び第２の入力電極、前記プラグの円筒の外壁上に配置された第１の外側電極、前記プラグの中空の内側に配置された第１の内側電極、前記プラグの円筒の外壁上に配置され、かつ、前記第１の内側電極と電気的に接続されたプラグ側反転用電極、前記プラグの外側に嵌合して前記プラグの長さ方向に摺動可能な円筒状のプラグカバー、及び、前記プラグカバーの内壁上に配置される電極群であって、前記プラグカバーが前記プラグ上の位置Ｐ１にあるとき、前記第１の入力電極から前記第１の外側電極に至る導通路と、前記第２の入力電極から前記プラグ側反転用電極に至る導通路とを形成するようにして前記プラグの外壁上の電極の一部と接触する一方、前記プラグカバーが前記プラグ上に前記位置Ｐ１とは異なる位置Ｐ２にあるとき、前記第１の入力電極から前記プラグ側反転用電極に至る導通路と、前記第２の入力電極から前記第１の外側電極に至る導通路とを形成するようにして前記プラグの外壁上の電極と接触する電極群からなるプラグカバー側反転用電極を備えるコネクタ端子を提供する。
【発明の効果】
【００１０】
本発明によれば、摺動可能なプラグカバーの位置に応じて外側電極と内側電極の極性を反転可能なので、極性反転のためのコネクタ等を別途用意する必要がない。
【図面の簡単な説明】
【００１１】
【図１】本発明の一実施の形態であるコネクタ１について説明するための図である。
【図２】ある方向からコネクタ端子２を眺めたときの電極の配置を示す図である。
【図３】図２とは異なる方向からコネクタ端子２を眺めたときの電極の配置を示す図である。
【図４】プラグカバー５が位置Ｐ１にあるときに、第１の入力電極１２、第２の入力電極２０から、外側出力電極１２、内側出力電極１４に至る導通路を説明するための図である。
【図５】プラグカバー５が位置Ｐ２にあるときに、第１の入力電極１２、第２の入力電極２０から、外側出力電極１２、内側出力電極１４に至る導通路を説明するための図である。
【図６】コネクタ端子２を備え、プラグカバー５が位置Ｐ１にあるＡＣ−ＤＣコンバータ３０について説明するための図である。
【図７】コネクタ端子２を備え、プラグカバー５が位置Ｐ２にあるＡＣ−ＤＣコンバータ３０について説明するための図である。
【図８】コネクタ１の変形であるコネクタ４０について説明するための図である。
【図９】コネクタ１の変形であるコネクタ４０について説明するための図である。
【図１０】隔壁４１の後ろに埋設されたコネクタ端子３にコネクタ端子２を接続する際の動作について説明するための図である。
【図１１】隔壁４２の後ろに埋設されたコネクタ端子３にコネクタ端子２を接続する際の動作について説明するための図である。
【図１２】プラグ４とプラグカバー５の回転を防止するため溝５１及び凸部５２を設けたコネクタ１の変形例について説明するための図である。
【図１３】プラグカバー５を位置Ｐ１及びＰ２に案内するためにゴム環６１、溝６２、溝６３を設けたコネクタ１の変形例について説明するための図である。
【図１４】プラグカバー５を位置Ｐ１及びＰ２に案内するためにゴム環６１、溝６２、溝６３を設けたコネクタ１の変形例について説明するための図である。
【図１５】プラグカバー５を位置Ｐ１及びＰ２に案内するためにゴム環６１、溝６２、溝６３を設けたコネクタ１の変形例について説明するための図である。
【発明を実施するための形態】
【００１２】
本発明の一実施の形態であるコネクタ１について説明する。図１を参照すると、コネクタ１は、例えばＡＣ−ＤＣコンバータと、このＡＣ−ＤＣコンバータから電力の供給を受ける装置との間を接続する際に用いるコネクタである。コネクタ１は互いに係合するコネクタ端子２とコネクタ端子３からなる。
【００１３】
コネクタ端子２はプラグ４とプラグカバー５を備える。プラグ４は中空円柱状であり、その外壁及び内壁には後述するように電極が配置される。プラグカバー５は中空円柱状であり、プラグ４の一部を覆うカバーである。プラグカバー５はプラグ４の外壁上をスライドして矢印６の方向に移動可能であり、後述するようにその内壁に電極が配置される。
【００１４】
コネクタ端子３はプラグ４と嵌合するソケット穴７を有する。また、コネクタ端子３は、ソケット穴７の中に、プラグ４の外壁上に設けた電極と接触するための電極８と、プラグ４の内壁と嵌合し、その内壁上に設けた電極と接触するための電極９とを備える。
【００１５】
コネクタ端子２の電極について説明する。上述したようにプラグ４の外壁及び内壁には図２に示すような電極が配置される。プラグ４の先端には絶縁カラー１０が設けられ、外壁上には続いて外側出力電極１１、第１の入力電極１２、反転用電極１３が配置される。また、プラグ４の内壁上には、絶縁カラー１０に続いて、内側出力電極１４が配置される。
【００１６】
プラグカバー５の位置にかかわらず、コネクタ端子２とコネクタ端子３とが係合したとき、電極８がプラグ４の外側から押し付けられて、電極８と外側出力電極１１とが接触する。また、このとき、電極９がプラグ４の中空内壁に嵌合し、電極９と内側出力電極１４とが接触する。図中のハッチングで示すように、反転用電極１３と内側出力電極１４の間は、例えばプラグ４の外壁から内壁に貫通して設けられる不図示の配線等の導通路を介して、電気的に接続されている。
【００１７】
一方、プラグカバー５の内壁には反転用電極１５が設けられる。既に述べたように、プラグカバー５はプラグ４の上をスライドして移動可能である。プラグ４上でのプラグカバー５の位置により、反転用電極１５は、外側出力電極１１及び反転用電極１３のいずれか一方を第１の入力電極１２に接続する。以後、プラグカバー５がプラグ４の先端側にあって、反転用電極１５が外側出力電極１１と第１の入力電極１２とを接続するとき、プラグカバー５は位置Ｐ１にあると呼ぶものとする。
【００１８】
また、プラグカバー５が位置Ｐ１よりもプラグ４の先端から遠ざかった位置にあって、反転用電極１５が反転用電極１３と第１の入力電極１２とを接続するとき、プラグカバー５は位置Ｐ２にあると呼ぶものとする。プラグカバー５が位置Ｐ２にあるとき、第１の入力電極１２は、反転用電極１５、反転用電極１３、及び、反転用電極１３と内側出力電極１４とを接続する導通路を介して、内側出力電極１４に接続する。
【００１９】
図２とは別方向から眺めたコネクタ端子２を示す図３を参照して、更にコネクタ端子２の電極について説明する。図示したように、プラグ４の外壁には、絶縁カラー１０、外側出力電極１１に続いて、第２の入力電極２０が配置される。
【００２０】
また、プラグカバー５の内壁には反転用電極２１、２２が配置される。プラグカバー５が位置Ｐ１にあるとき、反転用電極２１は外側出力電極１１のみに接触し、プラグ４の外側に配置された他の電極には接触しない。同じくプラグカバー５が位置Ｐ１にあるとき、反転用電極２２は第２の入力電極２０及び反転用電極１３に接触する。その結果、第２の入力電極２０は、反転用電極２２、反転用電極１３と内側出力電極１４とを接続する導通路を介して、内側出力電極１４に接続する。
【００２１】
プラグカバー５が位置Ｐ２にあるとき、反転用電極２１は外側出力電極１１及び第２の入力電極２０に接触する一方、反転用電極２２は反転用電極１３のみに接触する。
【００２２】
このように、外側出力電極１１、内側出力電極１２と、第１の入力電極１２、第２の入力電極２０との接続関係は、プラグカバー５の位置に応じて逆転する。プラグカバー５が位置Ｐ１にあるとき、図４に示すように、第１の入力電極１２は、反転用電極１５を介して外側出力電極１１に接続し、第２の入力電極２０は、反転用電極２２、１３を介して内側出力電極１４に接続する。
【００２３】
他方、プラグカバー５を、図４において、プラグ４に対して回転させることなく、図中の下方に移動させて、プラグカバー５が位置Ｐ２にあるとき、図５に示すように、第１の入力電極１２は、反転用電極１５、１３を介して内側出力電極に接続し、第２の入力電極２０は、反転用電極２１を介して外側出力電極１１に接続する。このため、コネクタ１の利用者は、互いに接続する装置の電極と極性の組み合わせがどちらであっても、プラグカバー５の位置をずらすだけで対応することができる。
【００２４】
このように、コネクタ１によれば、プラグカバー５を位置Ｐ１またはＰ２に配置することにより、外側出力電極１１、内側出力電極１４を所望の極性にすることができる。このようなコネクタ端子２を備えるＡＣ−ＤＣコンバータ３０について説明する。ＡＣ−ＤＣコンバータ３０は、本体３１とコネクタ１とを備える。本体３１は整流平滑回路３２、スイッチング回路３３、整流平滑回路３４を備え、外部から交流電流を入力し、コネクタ１に直流電流を出力する。第１の入力電極１２、第２の入力電極２０に入力される直流電流の極性はどちらでもよい。プラグカバー５が位置Ｐ１にあるとき、図６に示すように第１の入力電極１２と外側出力電極１１が接続され、第２の入力電極２０と内側出力電極１４が接続される。プラグカバー５が位置Ｐ２にあるとき、図７に示すように第１の入力電極１２と内側出力電極１４が接続され、第２の入力電極２０と外側出力電極１１が接続される。出力電流の極性を変更する際、本体３１とコネクタ１との間の接続関係を変更する必要はない。
【００２５】
次に、コネクタ１の変形例であるコネクタ４０について説明する。コネクタ１と同じ構成要素については同じ参照符号を付して重複する説明を省略している。コネクタ４０では、コネクタ端子２とコネクタ端子３の間に隔壁４１または４２を設ける。隔壁４１、４２は、コネクタ端子３の一部として一体的に設けてもよいし、或いは、コネクタ端子３を埋設する装置の筐体の一部として設けることとしてもよい。
【００２６】
図８に示すように、隔壁４１は、貫通孔４３、段差４４を有する。貫通孔４３はプラグ４が貫通するための穴であり、プラグ４はこの穴を貫通してソケット穴７に至る。段差４４は、プラグカバー５の外径より若干大きな開口を有し、かつ、位置Ｐ１にあるときのプラグカバー５を収容可能な深さを有する穴である。尚、コネクタ端子２は、好ましくは筐体４５、ばね４６を備える。筐体４５はプラグカバー５を収容し、ばね４６に押し出されたプラグカバー５が位置Ｐ１にとどまるように構成される。また、筐体４５は、段差４４の開口よりも大きな外径を有する。ばね４６は筐体４５の中に設けられ、プラグカバー５をプラグ４の先端方向に押し出す力を生じる。
【００２７】
一方、隔壁４２は、図９に示すように、隔壁４１と同様に貫通孔４３を有し、更に、段差４４に対応する段差４７を有する。段差４７は、プラグカバー５の外径より若干大きな開口を有する点では段差４４と同じであるが、段差４４よりも浅い穴であり、プラグ４をソケット穴７にセットしたときにプラグカバー５が位置Ｐ２に位置するような深さを有する穴である。尚、筐体４５の外径は段差４７の開口よりも大きいことが望ましい。また、段差４７は設けなくても構わない。この場合、プラグカバー５の先端が筐体４５に収容されたとき、プラグカバー５が位置Ｐ２に位置するように構成される。
【００２８】
隔壁４１を設けた場合のコネクタ４０の動作について図１０を参照して説明する。今、（ａ）のように、隔壁４１の後ろにコネクタ端子３が埋設されている。コネクタ端子３を挿入する前の時点では、プラグカバー５は位置Ｐ１にあるものとする。ばね４６を有する場合はその弾性力の作用によりプラグカバー５は位置Ｐ１にある。このコネクタ端子３に（ｂ）のようにしてコネクタ端子２を挿入していくと、（ｃ）のように、プラグカバー５が位置Ｐ１にあるままで段差４４に収容され、コネクタ端子２とコネクタ端子３が係合する。
【００２９】
一方、隔壁４２を設けた場合のコネクタ４０の動作について図１１を参照して説明する。今、（ｄ）のように、隔壁４２の後ろにコネクタ端子３が埋設されている。コネクタ端子３を挿入する前の時点でプラグカバー５が位置Ｐ１にあるのは先と同様である。ここでコネクタ端子３を（ｅ）のように挿入していくと、挿入に従ってプラグカバー５は筐体４５の中に収容されていき、最終的には（ｆ）のようにプラグカバー５の全体が筐体４５に収容される。このとき、プラグカバー５は位置Ｐ２にあるので、上述した隔壁４１を設けた場合と比較すると、外側出力電極１１、内側出力電極１４の極性が反転する。
【００３０】
このため、コネクタ端子３を埋設する装置の入力電極の極性に応じて、隔壁４１及び４２のうち適切なものを選択してその装置に設けることにより、コネクタ端子２とコネクタ端子３とを繋ぐ作業者は、外側出力電極１１、内側出力電極１４の極性を気にする必要がなく、単にコネクタ端子２をコネクタ端子３に押し込むだけで、外側出力電極１１、内側出力電極１４に適切な極性を付与することができる。
【００３１】
以上、実施の形態に即して本発明について説明したが、本発明はこれに限定されるものではなく、当業者の知識の範囲内で適切な変形を行なってもよいことはいうまでもない。
【００３２】
例えば、コネクタ端子２を設ける装置の例としてＡＣ−ＤＣコンバータ３０を挙げて説明したが、コネクタ端子２、３を設けるものはＡＣ−ＤＣコンバータに限定されるものではなく、直流電流が流れる２つの電線を接続する際に用いるコネクタ全般に適用可能である。また、上述の説明では、コネクタ端子３を埋設する装置の一部が隔壁４１、４２であるとして説明したが、隔壁４１、４２はコネクタ端子３そのものの筐体の一部であってもよい。
【００３３】
また、上述のコネクタ端子２では、円柱状のプラグ４の一部を中空円柱状のプラグカバー５が覆い、プラグカバー５はプラグ４の外壁上をスライドして矢印６の方向に移動可能であり、その内壁に電極が配置されると説明した。この構成では、円柱を円孔にはめ込む形になるため、プラグ４とプラグカバー５とが互いに回転する可能性があり、この回転により、コネクタ端子２に設けた電極（反転用電極１５、２１、２２）と、コネクタ端子３に設けた電極（第1の入力電極１２、反転用電極１３、第２の入力電極２０）の接触関係が、上述したような接触関係とは異なるものになる恐れがある。
【００３４】
このような事態を回避するため、図１２に示すように、プラグ４の外壁にプラグ４の長さ方向に沿って溝５１を設けるとともに、プラグカバー５の内壁にプラグカバー５の長さ方向に沿って溝５１にはまる凸部５２を設けることとしてもよい。凸部５２が溝５１にはまることにより、プラグカバー５がプラグ４の長さ方向に移動するのを妨げることなく、プラグカバー５がプラグ４に対して回転するのを抑止することができる。尚、このように溝と凸部を設ける代わりに、プラグ４及びプラグカバー５の断面形状を例えば三角形、四角形等の多角形に変更することにより、プラグ４とプラグカバー５の間の回転を抑止することも考えられる。
【００３５】
また、上述したように、プラグカバー５は位置Ｐ１及び位置Ｐ２のいずれかを取り、その位置に応じて、第1の入力電極１２及び第２の入力電極２０と、内側出力電極１４及び外側出力電極１１との接続関係が入れ替わるので、接続関係に応じたプラグカバー５の位置が明瞭になるように、プラグカバー５を位置Ｐ１、Ｐ２に移動可能に係止することとしてもよい。
【００３６】
例えば、図１３に示すように、プラグカバー５の一端に、プラグ４の外径よりも若干小さい内径を有するゴム環６１を設けるとともに、プラグ４には、プラグカバー５が位置Ｐ１にあるときのゴム環６１に対応する位置に溝６２を設け、プラグカバー５が位置Ｐ２にあるときのゴム環６１に対応する位置に溝６３を設けることとしてもよい。図１４に示すように、プラグカバー５が位置Ｐ１にあるとき、ゴム環６１は溝６２に係止される。プラグカバー５を図中下方に移動すると、ゴム環６１と溝６２の間の係合は解除され、プラグカバー５が位置Ｐ２に至ると、図１５に示すようにゴム環６１は溝６３にはまって係止される。この例では、プラグカバー５に弾性体の凸部（ゴム環６１）を設け、プラグ４に合計２箇所の凹部を設けたが、逆に、プラグ４の外壁上に弾性体の凸部を設け、プラグカバー５の位置Ｐ１、Ｐ２に対応する位置それぞれに合計２箇所の凹部を設けることとしてもよい。
【００３７】
更に、上述の説明では、プラグカバー５をプラグ４の軸方向にスライドして出力電極の極性を変更することとしたが、プラグカバー５をプラグ４に対して回転させることにより、極性変更を行なうこととしてもよい。図４では、第1の入力電極１２から反転用電極１５を介して外側出力電極に至る経路と、第２の入力電極２０から反転用電極２２、１３を介し、更に不図示の導通路を介して内側出力電極１４に至る経路とを確立している。同図において、プラグ４に対してプラグカバー５が１８０度回転した位置にある状態を考えると、第1の入力電極１２から反転用電極２２、１３を介し、更に不図示の導通路を介して内側出力電極１４に至る経路と、第２の入力電極２０から反転用電極１５を介して外側出力電極１１に至る経路が確立されることが当業者には容易に理解されるだろう。
【符号の説明】
【００３８】
１、４０  コネクタ
２、３  コネクタ端子
４  プラグ
５  プラグカバー
７  ソケット穴
８、９  電極
１０  絶縁カラー
１１  外側出力電極
１２  第１の入力電極
１３、１５、２１、２２  反転用電極
１４  内側出力電極
２０  第２の入力電極
３０  ＡＣ−ＤＣコンバータ
３１  本体
３２、３４  整流平滑回路
３３  スイッチング回路
４１、４２  隔壁
４３  貫通孔
４４、４７  段差
４５  筐体
４６  ばね
５１、６２、６３  溝
５２  凸部
６１  ゴム環
【図１】
0005536179.tif 000002
【図２】
0005536179.tif 000003
【図３】
0005536179.tif 000004
【図４】
0005536179.tif 000005
【図５】
0005536179.tif 000006
【図６】
0005536179.tif 000007
【図７】
0005536179.tif 000008
【図８】
0005536179.tif 000009
【図９】
0005536179.tif 000010
【図１０】
0005536179.tif 000011
【図１１】
0005536179.tif 000012
【図１２】
0005536179.tif 000013
【図１３】
0005536179.tif 000014
【図１４】
0005536179.tif 000015
【図１５】
0005536179.tif 000016